(57)【要約】【課題】  各圃場に対して来季に栽培する作物情報を登録することなく、来季の作付案を自動作成することができる栽培作物の輪作管理方法を提供すること。【解決手段】  来季に作付け予定の複数の栽培対象作物とその作付面積とから成る情報を入力するステップと、入力された栽培対象作物の情報に基づき過去数年に亘って同一作物の作付けがなされていない作付け可能な対象圃場を圃場データベースから検索し、栽培対象作物毎に作付が可能な対象圃場の識別情報と作付可能面積とを栽培対象作物別に作物作付テーブルに登録するステップと、前記作物作付テーブルに登録された複数の栽培対象作物の対象圃場のうちする作付可能面積な圃場の総面積が最小である作物の作付を行う圃場を優先して決定するステップと、作付けを決定した作物について圃場を特定する情報と作付面積を含む作付来歴表を自動作成し出力するステップとを備える。【選択図】      図１
2011022946.tif 000002
【特許請求の範囲】
【請求項１】
輪作管理装置で実施する栽培作物の輪作管理方法であって、
前記輪作管理装置が、
来季に作付け予定の複数の栽培対象作物とその作付面積とから成る情報を入力するステップと、入力された栽培対象作物の情報に基づき過去数年に亘って同一作物の作付けがなされていない作付け可能な対象圃場を圃場データベースから検索し、栽培対象作物毎に作付が可能な対象圃場の識別情報と作付可能面積とを栽培対象作物別に作物作付テーブルに登録するステップと、前記作物作付テーブルに登録された複数の栽培対象作物の対象圃場のうちする作付可能面積な圃場の総面積が最小である作物の作付を行う圃場を優先して決定するステップと、作付けを決定した作物について圃場を特定する情報と作付面積を含む作付来歴表を自動作成し出力するステップとを備えることを特徴とする栽培作物の輪作管理方法。
【請求項２】
来季に作付け予定の複数の栽培対象作物とその作付面積とから成る情報を入力する手段と、入力された栽培対象作物の情報に基づき過去数年に亘って同一作物の作付けがなされていない作付け可能な対象圃場を圃場データベースから検索し、栽培対象作物毎に作付が可能な対象圃場の識別情報と作付可能面積とを栽培対象作物別に作物作付テーブルに登録する手段と、前記作物作付テーブルに登録された複数の栽培対象作物の対象圃場のうちする作付可能面積な圃場の総面積が最小である作物の作付を行う圃場を優先して決定する手段と、作付けを決定した作物について圃場を特定する情報と作付面積を含む作付来歴表を自動作成し出力する手段とを備えることを特徴とする輪作管理装置。
【請求項３】
栽培作物の輪作管理を行うコンピュータを、
来季に作付け予定の複数の栽培対象作物とその作付面積とから成る情報を入力する手段と、入力された栽培対象作物の情報に基づき過去数年に亘って同一作物の作付けがなされていない作付け可能な対象圃場を圃場データベースから検索し、栽培対象作物毎に作付が可能な対象圃場の識別情報と作付可能面積とを栽培対象作物別に作物作付テーブルに登録する手段と、前記作物作付テーブルに登録された複数の栽培対象作物の対象圃場のうちする作付可能面積な圃場の総面積が最小である作物の作付を行う圃場を優先して決定する手段と、作付けを決定した作物について圃場を特定する情報と作付面積を含む作付来歴表を自動作成し出力する手段として機能させることを特徴とする輪作管理用のプログラム。
【発明の詳細な説明】
【技術分野】
【０００１】
本発明は、栽培作物の輪作管理方法および装置並びにプログラムに関するものである。
【背景技術】
【０００２】
農業生産者は連作障害が発生しないように来季あるいは次期に栽培する作物を決定し、適正な輪作を行う必要がある。
現在、農業生産者は所有の圃場に対して、来季（あるいは次期）の作付け案を記載した作付来歴表等を手作業で作成し、来季（あるいは次期）の作付を検討している。
本発明に関連する公知技術文献としては下記特許文献１があげられる。
下記特許文献１に記載のものは、適正な輪作栽培が行われている圃場あるいは連作障害が発生する恐れがある圃場を地図上で視覚的に表示することを可能にしたものである。
【先行技術文献】
【特許文献】
【０００３】
【特許文献１】特開２００５−３１２３４６号
【発明の開示】
【発明が解決しようとする課題】
【０００４】
しかしながら、上記特許文献１に記載の技術は、各圃場に対して来季（あるいは次期）に栽培する作物情報を圃場毎に登録することにより、連作状況を地図上で視覚的に確認することはできるが、作物情報の登録前に連作状況を確認して来季の作付を検討することはできない。
【０００５】
本発明の目的は、各圃場に対して来季に栽培する作物情報を登録することなく、来季の作付案を自動作成することができる栽培作物の輪作管理方法および装置並びにプログラムを提供することにある。
【課題を解決するための手段】
【０００６】
上記目的を達成するために、本発明は輪作管理装置で実施する栽培作物の輪作管理方法であって、前記輪作管理装置が、
来季に作付け予定の複数の栽培対象作物とその作付面積とから成る情報を入力するステップと、入力された栽培対象作物の情報に基づき過去数年に亘って同一作物の作付けがなされていない作付け可能な対象圃場を圃場データベースから検索し、栽培対象作物毎に作付が可能な対象圃場の識別情報と作付可能面積とを栽培対象作物別に作物作付テーブルに登録するステップと、前記作物作付テーブルに登録された複数の栽培対象作物の対象圃場のうちする作付可能面積な圃場の総面積が最小である作物の作付を行う圃場を優先して決定するステップと、作付けを決定した作物について圃場を特定する情報と作付面積を含む作付来歴表を自動作成し出力するステップとを備えることを特徴とする。
【０００７】
また、本発明に係る輪作管理装置は、来季に作付け予定の複数の栽培対象作物とその作付面積とから成る情報を入力する手段と、入力された栽培対象作物の情報に基づき過去数年に亘って同一作物の作付けがなされていない作付け可能な対象圃場を圃場データベースから検索し、栽培対象作物毎に作付が可能な対象圃場の識別情報と作付可能面積とを栽培対象作物別に作物作付テーブルに登録する手段と、前記作物作付テーブルに登録された複数の栽培対象作物の対象圃場のうちする作付可能面積な圃場の総面積が最小である作物の作付を行う圃場を優先して決定する手段と、作付けを決定した作物について圃場を特定する情報と作付面積を含む作付来歴表を自動作成し出力する手段とを備えることを特徴とする。
【０００８】
本発明に係るプログラムは、栽培作物の輪作管理を行うコンピュータを、来季に作付け予定の複数の栽培対象作物とその作付面積とから成る情報を入力する手段と、入力された栽培対象作物の情報に基づき過去数年に亘って同一作物の作付けがなされていない作付け可能な対象圃場を圃場データベースから検索し、栽培対象作物毎に作付が可能な対象圃場の識別情報と作付可能面積とを栽培対象作物別に作物作付テーブルに登録する手段と、前記作物作付テーブルに登録された複数の栽培対象作物の対象圃場のうちする作付可能面積な圃場の総面積が最小である作物の作付を行う圃場を優先して決定する手段と、作付けを決定した作物について圃場を特定する情報と作付面積を含む作付来歴表を自動作成し出力する手段として機能させることを特徴とする。
【発明の効果】
【０００９】
本発明によれば、各圃場に対して来季に栽培する作物情報を登録することなく、来季の作付案を自動作成することができる。
【図面の簡単な説明】
【００１０】
【図１】本発明の一実施の形態を示すシステム構成図である。
【図２】圃場情報ＤＢのデータ構成の一例を示す図である。
【図３】生産者マスタＤＢのデータ構成の一例を示す図である。
【図４】作物マスタＤＢのデータ構成の一例を示す図である。
【図５】実施形態のシステムの処理の概要を示すフローチャートである。
【図６】来季の栽培作物情報入力処理のフローチャートである。
【図７】来季の作付案作成処理のフローチャートである。
【図８】作付来歴表出力処理のフローチャートである。
【図９】来季の栽培作物情報の一例を示す図である。
【図１０】１回目処理時の圃場面積テーブルのデータ構成例を示す図である。
【図１１】１回目処理時の作物作付テーブルのデータ構成例を示す図である。
【図１２】１回目処理時の圃場作付テーブルのデータ構成例を示す図である。
【図１３】２回目処理時の圃場面積テーブルのデータ構成例を示す図である。
【図１４】２回目処理時の作物作付テーブルのデータ構成例を示す図である。
【図１５】２回目処理時の圃場作付テーブルのデータ構成例を示す図である。
【図１６】作付案作成処理後の圃場作付テーブルのデータ構成例を示す図である。
【図１７】作成された作付来歴表の例を示す図である。
【発明を実施するための形態】
【００１１】
以下、本発明を図示する実施の形態を参照して詳細に説明する。
図１は、本発明の実施の形態を示すシステム構成図である。
本実施形態のシステムは、中央処理装置２と、圃場情報ＤＢ６、生産者マスタＤＢ７、作物マスタＤＢ８で構成される。
中央処理装置２は、来季の栽培作物情報入力部３、来季の作付け案作成処理部４、作付け来歴表出力部５で構成されている。これらの来季の栽培作物情報入力部３、来季の作付け案作成処理部４、作付け来歴表出力部５は中央処理装置２に実装されたプログラムによって実現されるものである。
来季の栽培作物情報入力部３には、来季の栽培作物情報CSVファイル１が入力される。
来季の栽培作物情報CSVファイル１は、来季の栽培作物情報入力部３で入力されると、来季の作付案作成処理部４で処理され、作付来歴表出力部５で来季の作付案が記載された作付来歴表９が外部に出力される。作付来歴表９は、例えばExcelファイルである。
また、中央処理装置２では、必要に応じて、圃場情報ＤＢ６、生産者マスタＤＢ７、作物マスタＤＢ８を参照アクセスする。
【００１２】
図２は、圃場情報ＤＢ６のデータ構成図である。
圃場情報ＤＢ６には、生産者番号別に、各圃場の作付年度２０１、生産者番号２０２、圃場番号２０３、枝番２０４、作物番号２０５、作付面積２０６などの情報が格納されている。図２では、生産者番号「０００００００１」の圃場情報の例を示している。
ここで、作付面積２０６は、今季および過去の作付済の面積である。
なお、圃場情報ＤＢ６には、これらの情報のほかに、堆肥散布量、堆肥種類、所有者などの情報が登録されているが、本発明に直接関係しない情報については図示を省略している。
【００１３】
図３は、生産者マスタＤＢ７のデータ構成図である。
生産者マスタＤＢ７には、各生産者の生産者番号３０１、生産者名３０２などの情報が格納されている。なお、この生産者マスタＤＢ７には、これらの情報のほかに、郵便番号、住所、電話番号などの情報が登録されているが本発明に直接関係しない情報については図示を省略している。
【００１４】
図４は、作物マスタＤＢ８のデータ構成図である。
作物マスタＤＢ８には、各作物の作物番号４０１、作物名４０２などの情報が格納されている。なお、この作物マスタＤＢ８には、これらの情報のほかに、作物分類番号などの情報が登録されているが本発明に直接関係しない情報については図示を省略している。
【００１５】
図５は、本発明に係るシステムの処理の概要を示すフローチャートである。
本発明のシステムにおいては、まず、来季の栽培作物情報入力し（ステップ５０１）、この入力された情報に基づいて来季の作付案作成処理を実行し（ステップ５０２）、作付来歴表出力を出力する（ステップ５０３）。
【００１６】
図６は、来季の栽培作物情報入力部３の入力処理を示すフローチャートである。
この処理では、図９に示すように、ある生産者Ａについて、来季の作物番号毎の作付面積からなる栽培作物情報１（CSVファイル）を読込み（ステップ６０１）、図１０に示す圃場面積テーブル１０００と図１１に示す作物作付テーブル１１００を作成する（ステップ６０２、６０４）。
【００１７】
図９は、来季の栽培作物情報CSVファイル１の一例を示す図であり、生産者が来季に栽培する作物番号と作付面積を定義するものとなっており、その一例が記載されている。
【００１８】
図１０は、圃場面積テーブル１０００の構成図であり、１回目処理時の一例が記載されている。
圃場番号１００１には、図２に示す圃場情報ＤＢ６から該当生産者の圃場番号２０３を取得して格納される。圃場面積１００２には、図２に示す圃場情報ＤＢ６から圃場番号に対応する作付面積２０６を取得して格納される（分筆されている場合は作付面積の合計値を格納する）。作付可面積１００３には、圃場面積１００２の内、作付案作成処理上で作付が決まっていない作付可能な圃場面積を算出した値が格納される（ステップ６０３）。
例えば、圃場番号０００１の全体の圃場面積は８００平米であるが、新たに作付可能な面積として８００平米が算出されて格納される。これは圃場番号０００１の全体の圃場面積のうち既にある作物が作付済みである面積を差し引いたものである。
【００１９】
図１１は、作物作付テーブル１１００の構成図であり、１回目処理時の一例が記載されている。作物番号１１０１と作付面積１１０２には、図９に示す来季の栽培作物情報CSVファイル１から読込まれた値が格納される。作付フラグ１１０３には、作付案作成処理上で作付が決定したかどうかのフラグ（「0」or「1」）が格納され、１回目処理時は作付フラグの初期化（ステップ６０５）が行なわれる。
作付可圃場番号１１０４には、過去Ｘ年（例えば過去３年）に同作物の作付がなく、かつ作付がまだ決まっていない作付可能な圃場番号を取得して格納される（ステップ６０６）。作付可総面積１１０５には、作付可圃場番号１１０４に対応する、図１０に示す圃場面積テーブル１０００の作付可面積１００３の合計値が格納される（ステップ６０７）。
【００２０】
図７は、来季の作付案作成処理のフローチャートである。
この処理では、まず、図１１に示す作物作付テーブル１１００を参照し、作付可総面積１１０５が最小である作物の作付を決定する（ステップ７０１）。また、最小の作付可総面積である作物が複数存在する場合、作付面積１１０２が大きいものを優先する。この例では、作物番号「0750」が該当することになる。そして、決定した作付情報を図１２に示す圃場作付テーブル１２００に追加登録する（ステップ７０２）。
【００２１】
図１２は、決定した作付情報を格納する圃場作付テーブル１２００の構成図であり、１回目処理時の一例が記載されている。圃場番号１２０１には、作付が決定した作物番号に対応する、図１１で示す作物作付テーブル１１００の作付可圃場番号１１０４が格納される。
作付可圃場番号が複数存在する場合は、圃場番号の小さいものを優先し、作付面積１１０２を満たすまで圃場が選択される（圃場が複数になる場合あり）。
枝番１２０２には、同一圃場番号に複数の作物が作付された場合の分筆番号（「０００１」「０００２」等）が格納される（通常は「００００」）。
作物番号１２０３には、作付が決定した作物番号が格納される。
作付面積１２０４には、作付が決定した圃場の作付面積が格納される。
【００２２】
次に、決定した作付情報（図１２に示す圃場作付テーブル１２００）を反映し、図１０に示す圃場面積テーブル１０００の作付可面積１００３と図１１に示す作物作付テーブル１１００の作付フラグ１１０３、作付可圃場番号１１０４、作付可総面積１１０５を、図１３に示す圃場面積テーブル１３００と図１４に示す作物作付テーブル１４００のように更新する（ステップ７０３、７０５）。
【００２３】
図１３は、２回目処理で更新された圃場面積テーブル１０００の一例である。
作付可面積１００３は、図１２に示す圃場作付テーブル１２００の作付面積１２０４を反映して、圃場面積１００２の内、作付案作成処理上で作付が決まっていない作付可能な圃場面積を再算出した値に更新される（ステップ７０４）。
【００２４】
図１４は、２回目処理で更新された作物作付テーブル１１００の一例である。
作付フラグ１１０３は、図１２に示す圃場作付テーブル１２００の作物番号１２０３を反映して、作付案作成処理上で作付が決定した作物に対してフラグが「１」に更新される（ステップ７０６）。
作付可圃場番号１１０４は、図１３に示す圃場面積テーブル１１００の作付可面積が「０」である圃場番号が取除かれたものに更新される（ステップ７０７）。
作付可総面積１１０５は、作付可圃場番号１１０４に対応する、図１３に示す圃場面積テーブル１０００の作付可面積１００３の合計値に更新される（ステップ７０８）。
【００２５】
図１５は、２回目処理で更新された圃場作付テーブル１２００の一例である。
１回目処理と同様に、図１４に示す作物作付テーブル１１００を参照して作物の作付を決定し（ステップ７０１）、作付情報を追加する（ステップ７０２）。この例では、作物番号「０１１０」が該当することになる。
この一連の処理（ステップ７０１〜７０８）を、図１４に示す作物作付テーブル１１００の作付フラグに「０」のものがある場合にこれを繰り返し処理し、作付フラグが全て「１」になった場合に終了する（ステップ７０９）。
また、作物作付テーブル１１００に未決定の作付があっても、作付面積＞作付可総面積により作付可能な圃場がない場合（ステップ７１０）はＸ＝Ｘ−１とし（ステップ７１１）、例えば過去３年→過去２年に対象圃場を減らして作付可能な圃場を検索する。さらに、過去０年（Ｘ＝０）に対象圃場を減らしても作付可能な圃場がない場合（ステップ７１２）、作付不可のエラーログを出力して終了する（ステップ７１３）。
【００２６】
図８は、作付来歴表出力処理のフローチャートである。
この処理では、図１６に示す作付案作成処理後の圃場作付テーブル１２００を参照し（ステップ８０１）、図１７に例示するように、来季の作付案が記載された作付来歴表（Excelファイル）を出力する（ステップ８０２）。
以上のように、来季の栽培作物情報（CSVファイル）１を入力することにより、来季の作付案が記載された作付来歴表（Excelファイル）を自動作成することができ、この作付来歴表によって、実際に作付情報を登録することなく栽培作物の輪作管理が可能となる。
この場合、ステップ７０１で示しているように、作付可能な圃場の総面積が最小である作物の作付を優先して決定するようにしているため、効率良く全体の作付を決定できる。すなわち、作付可能な圃場の選択肢が少ない作物であっても効率良く全体の作付を決定できる。
【符号の説明】
【００２７】
１    来季の栽培作物情報（CSVファイル）
２    中央処理装置
３    来季の栽培作物情報入力部
４    来季の作付案作成処理部
５    作付来歴表出力部
６    圃場情報ＤＢ
７    生産者マスタＤＢ
８    作物マスタＤＢ
９    作付来歴表
【図１】
2011022946.tif 000003
【図２】
2011022946.tif 000004
【図３】
2011022946.tif 000005
【図４】
2011022946.tif 000006
【図５】
2011022946.tif 000007
【図６】
2011022946.tif 000008
【図７】
2011022946.tif 000009
【図８】
2011022946.tif 000010
【図９】
2011022946.tif 000011
【図１０】
2011022946.tif 000012
【図１１】
2011022946.tif 000013
【図１２】
2011022946.tif 000014
【図１３】
2011022946.tif 000015
【図１４】
2011022946.tif 000016
【図１５】
2011022946.tif 000017
【図１６】
2011022946.tif 000018
【図１７】
2011022946.tif 000019